(57)【特許請求の範囲】
【請求項１】
液晶パネルと、
入力映像信号に基づいて前記液晶パネルを駆動させる液晶駆動手段と、
光ビームを出射する光源手段と、
前記光ビームを偏向して、前記光ビームによって形成される光スポットを、前記液晶パネルの画像表示領域の背面において主走査方向及び副走査方向に２次元走査させる２次元走査手段と、
前記２次元走査手段が、
前記入力映像信号の１フレーム期間で、前記液晶パネルの画像表示領域の背面において、副走査方向に所定の副走査ピッチで配置された複数の第１の走査位置を、各第１の主走査位置を中心とする前記光スポットで走査する第１の２次元走査と、
前記入力映像信号の１フレーム期間で、前記液晶パネルの画像表示領域の背面において、副走査方向に前記副走査ピッチで配置された複数の第２の走査位置を、各第２の主走査位置を中心とする前記光スポットで走査する第２の２次元走査と
を１フレーム期間毎に交互に実施するように、前記液晶駆動手段、前記光源手段、及び前記２次元走査手段の動作を制御する制御手段と
を有し、
前記複数の第１の走査位置と前記複数の第２の走査位置との副走査方向のずれは、前記副走査ピッチの半分の距離であり、
前記副走査ピッチは、前記光スポットの直径の半分に等しい
ことを特徴とする液晶表示装置。
【請求項２】
前記第１の２次元走査は、前記複数の第１の走査位置の線順次走査であり、
前記第２の２次元走査は、前記複数の第２の走査位置の線順次走査である
ことを特徴とする請求項１に記載の液晶表示装置。
【発明の詳細な説明】
【技術分野】
【０００１】
本発明は、直視型の液晶パネルの画像表示領域の背面のバックライト照明を光ビームの２次元走査によって行なう液晶表示装置に関するものである。
【背景技術】
【０００２】
一般に、液晶表示装置（ＬＣＤ）は、液晶パネルの画像表示領域の全体がバックライトにより照明され、フレーム時間を通して画素からの光が目によって知覚される応答様式を持つホールド型の表示装置である。ホールド型の表示装置では、目の残像効果により動画像がぼけて見える動画残像が発生し易い。
【０００３】
動画残像を減らすため、液晶パネルの各画素に印加される電圧を書き換えるタイミングと、導光板のエッジに白色ＬＥＤを取り付けた複数の光源（バックライトユニット）の駆動回路の駆動タイミングとの同期を取って画像表示を行う直視型の液晶表示装置の提案がある（例えば、特許文献１参照）。
【０００４】
また、投射型表示装置であって、光源からの光を偏向して画像情報表示素子の全面を１フレーム期間内で走査することによって、スクリーン上に画像を投影する装置の提案もある（例えば、特許文献２参照）。
【０００５】
【特許文献１】特開２００１−２１０１２２号公報（段落００６２〜００６４、図１）
【特許文献２】特開２００４−１６３９１５号公報（段落００２１、００３０、図１）
【発明の開示】
【発明が解決しようとする課題】
【０００６】
しかしながら、特許文献１に記載された液晶表示装置のように、動画残像を軽減するために、複数の光源を用いた場合には、複数の光源の輝度ムラが画面の輝度ムラを生じさせるおそれがあるという問題があった。
【０００７】
また、特許文献２に記載された投射型表示装置においては、光を走査する機構は小型であり、この機構の動作に要する駆動エネルギーは少ない。しかし、直視型の液晶パネルは投射型の液晶パネルよりも数１０倍大きいので、直視型の液晶パネルの画像表示領域の背面を光ビームで走査する場合には、走査機構の駆動エネルギーが増大するという問題がある。
【０００８】
そこで、本発明は、上記従来技術の課題を解決するためになされたものであり、その目的は、駆動エネルギーを抑制しつつ、動画残像の軽減及び画面の輝度ムラの低減を実現できる液晶表示装置を提供することにある。
【課題を解決するための手段】
【０００９】
本発明に係る液晶表示装置は、液晶パネルと、入力映像信号に基づいて前記液晶パネルを駆動させる液晶駆動手段と、光ビームを出射する光源手段と、前記光ビームを偏向して、前記光ビームによって形成される光スポットを、前記液晶パネルの画像表示領域の背面において主走査方向及び副走査方向に２次元走査させる２次元走査手段と、前記２次元走査手段が、前記入力映像信号の１フレーム期間で、前記液晶パネルの画像表示領域の背面において、副走査方向に所定の副走査ピッチで配置された複数の第１の走査位置を、各第１の主走査位置を中心とする前記光スポットで走査する第１の２次元走査と、前記入力映像信号の１フレーム期間で、前記液晶パネルの画像表示領域の背面において、副走査方向に前記副走査ピッチで配置された複数の第２の走査位置を、各第２の主走査位置を中心とする前記光スポットで走査する第２の２次元走査とを１フレーム期間毎に交互に実施するように、前記液晶駆動手段、前記光源手段、及び前記２次元走査手段の動作を制御する制御手段とを有し、前記複数の第１の走査位置と前記複数の第２の走査位置との副走査方向のずれは、前記副走査ピッチの半分の距離であり、前記副走査ピッチは、前記光スポットの直径の半分に等しいことを特徴としている。
【発明の効果】
【００１０】
本発明による液晶表示装置は、液晶パネルの画像表示領域の背面のバックライト照明を光ビームの２次元走査によって行なうので、非ホールド型の表示装置として動作することとなり、動画残像を軽減することができるという効果を奏する。
【００１１】
また、本発明による液晶表示装置は、第１の２次元走査と第２の２次元走査とを１フレーム期間毎に交互に実施し、第１の２次元走査の位置と第２の２次元走査の位置を副走査方向に副走査ピッチの半分の距離だけずらすようにしたので、画面の輝度ムラを少なくすることができるという効果を奏する。
【００１２】
また、本発明による液晶表示装置は、２フレーム期間で第１の２次元走査と第２の２次元走査を行なうようにしたので、走査速度を遅くすることができ、そのため、２次元走査手段の動作に必要な駆動エネルギーを低減することができるという効果を奏する。
【発明を実施するための最良の形態】
【００１３】
実施の形態１．
〔液晶表示装置の構成及び動作〕
図１は、本発明の実施の形態１に係る液晶表示装置の構成及び動作を概略的に示す図である。また、図２は、実施の形態１に係る液晶表示装置の光学系の構成及び制御系の構成を概略的に示す図である。
【００１４】
図１又は図２に示されるように、実施の形態１に係る液晶表示装置は、液晶パネル１１と、液晶駆動手段としての液晶駆動部１２と、光ビームＬ０を出射する光源手段としての光ビーム出射部２０と、液晶パネル１１の背面にバックライト光である光ビームＬ１を２次元走査する２次元走査手段としての２次元走査部３０と、液晶表示装置全体の動作を制御する制御手段としての制御部４０とを有している。
【００１５】
図１又は図２に示されるように、液晶パネル１１は、観察者によって表面１１ａが直視される直視型の液晶パネルである。液晶パネル１１の画像表示領域（図２における斜線部分）１１ｃの背面１１ｂには、光ビーム出射部２０から出射され２次元走査部３０で走査される光ビームＬ１が照射される。
【００１６】
図２に示されるように、光ビーム出射部２０は、光ビームを出射する光源２１と、光源２１から光ビームＬ０を出射させる光源駆動部２２とを有している。光源２１は、例えば、レーザー発光素子又はＬＥＤ素子を有する光学装置であるが、光ビームを出射できる構成であれば、高輝度水銀ランプのような発光ランプを光源とする光学装置とすることも可能である。
【００１７】
また、図１又は図２に示されるように、２次元走査部３０は、光ビーム出射部２０からの光ビームＬ０を水平方向及び垂直方向に偏向することによって、光ビームＬ１によって形成される光スポットを、液晶パネル１１の画像表示領域１１ｃの背面１１ｂにおいて主走査方向（水平方向）Ｄｈ及び副走査方向（垂直方向）Ｄｖにそれぞれ所定の周波数で走査して、液晶パネル１１の画像表示領域１１ｃの背面１１ｂの全面を光スポットで線順次走査する。図２に示されるように、２次元走査部３０は、光スポットを副走査方向Ｄｖに移動させるように光反射面の傾きを変える（揺動させる）ガルバノミラー３１と、ガルバノミラー３１を、光スポットを副走査方向Ｄｖに移動させるように、揺動させるガルバノミラー駆動部３２と、ガルバノミラー駆動部３２の動作を制御するガルバノミラー駆動制御部３３とを有している。また、２次元走査部３０は、光スポットを主走査方向Ｄｈに走査させるように回転する回転多面鏡（ポリゴンミラー）３４と、ポリゴンミラー３４を回転させるモータ３５と、モータ３５の動作を制御するポリゴンミラー駆動制御部３６とを有している。なお、図２に示される２次元走査部３０の構成は、一例に過ぎず、光ビームＬ１を２次元走査できる構成であれば、他の構成とすることもできる。
【００１８】
図３（ａ）乃至（ｄ）は、実施の形態１に係る液晶表示装置において、光スポットＳ１又はＳ２を第１の走査位置Ｐ１又は第２の走査位置Ｐ２で走査したときの画面輝度を説明するための図である。図３（ａ）は、光スポットＳ１又はＳ２（実線及び破線の円）及び第１の走査位置Ｐ１又は第２の走査位置Ｐ２（実線及び破線の白矢印）を示し、図３（ｂ）は、光スポットＳ１又はＳ２を第１の走査位置Ｐ１又は第２の走査位置Ｐ２で走査したときの副走査方向Ｄｖの光量分布（実線及び破線の曲線５１，５２）を示し、図３（ｃ）は、そのときの第１の走査位置Ｐ１又は第２の走査位置Ｐ２における画面輝度分布（実線及び破線の曲線５３，５４）を示し、図３（ｄ）は、液晶パネル１１の画像表示領域１１ｃの副走査方向Ｄｖの画面輝度分布（実線の曲線５５）を示す。
【００１９】
制御部４０は、液晶駆動部１２、光ビーム出射部２０、及び２次元走査部３０の動作を制御する。制御部４０による制御によって、２次元走査部３０は、光ビームＬ１によって液晶パネル１１の画像表示領域１１ｃの背面１１ｂに形成される光スポットの走査である第１の２次元走査（光ビームＬ１が形成する光スポットＳ１による第１の走査位置Ｐ１の走査）と第２の２次元走査（光ビームＬ１が形成する光スポットＳ２による第２の走査位置Ｐ２の走査）とを１フレーム期間毎に交互に実施する。第１の２次元走査は、例えば、図１及び図３（ａ）に右向き実線の白矢印として示される走査である。第２の２次元走査は、例えば、図１及び図３（ａ）に右向き破線の白矢印として示される走査である。第１の２次元走査においては、入力映像信号の１フレーム期間で、液晶パネル１１の画像表示領域１１ｃの背面１１ｂにおいて、副走査方向Ｄｈに所定の副走査ピッチＶｐで配置された複数の第１の走査位置Ｐ１を、各第１の主走査位置Ｐ１を中心とする光スポットＳ１で走査する。第２の２次元走査においては、入力映像信号の１フレーム期間で、液晶パネル１１の画像表示領域１１ｃの背面１１ｂにおいて、副走査方向Ｄｈに所定の副走査ピッチ（すなわち、垂直走査ピッチ）Ｖｐで配置された複数の第２の走査位置Ｐ２を、各第２の主走査位置Ｐ２を中心とする光スポットで走査する。すなわち、光ビームＳ１による水平走査軌跡の中心線の間隔はＶｐであり、光ビームＳ２による水平走査軌跡の中心線の間隔はＶｐである。
【００２０】
また、実施の形態１においては、光スポットの直径（光スポット径）は、副走査ピッチに等しいＶｐである。光スポットの光量分布がガウス分布である場合には、査複数の第１の走査位置Ｐ１と複数の第２の走査位置Ｐ２との副走査方向Ｄｖのずれは、副走査ピッチＶｐの半分の距離Ｖｐ／２である。なお、図には、第１の走査位置の走査軌跡（実線の白矢印）及び第２の走査位置の走査軌跡（破線の白矢印）がそれぞれ、３又は４本の場合を示しているが、本発明はこのような例に限定されず、各走査軌跡の数は、複数本であれば他の本数であってもよい。また、副走査方向Ｄｖに距離がＶｐ／Ｎ（Ｎは３以上の整数）ずつずれた、第１乃至第Ｎの走査位置を設定し、第１乃至第Ｎの２次元走査を１つの動作単位として繰り返すことによっても、同様の効果を得ることができる。ただし、Ｎの値が大きくなると、表示画像のちらつきが顕著になるので、第１及び第２の２次元走査を１つの動作単位とする、実施の形態１の表示方式が望ましい。
【００２１】
次に、実施の形態１に係る液晶表示装置の動作を説明する。まず、光ビーム出射部２０の光源２１から出射した光ビームＬ０を２次元走査部３０で偏向し、液晶パネル１１の画像表示領域１１ｃの背面１１ｂ上の第１の２次元走査の走査開始位置（例えば、図３（ａ）における左上の光スポットＳ１の位置）を照明する。次に、液晶パネル１１の画像表示領域１１ｃの背面１１ｂ上で、光スポットＳ１を実線の白矢印の方向（水平方向）に走査する動作を、複数の第１の走査位置Ｐ１について上から順に行ない、液晶パネル１１の画像表示領域１１ｃの背面１１ｂ上の最下端の第１の走査位置の走査が完了するまで続ける。次に、光ビーム出射部２０の出力をオフにした状態で、２次元走査部３０を駆動して、光スポットを第２の２次元走査の走査開始位置（例えば、図３（ａ）における左上の光スポットＳ２の位置）を照明する。次に、液晶パネル１１の画像表示領域１１ｃの背面１１ｂ上で、光スポットＳ２を破線の白矢印の方向（水平方向）に走査する動作を、複数の第２の走査位置Ｐ２について上から順に行ない、液晶パネル１１の画像表示領域１１ｃの背面１１ｂ上の最下端の第２の走査位置の走査が完了するまで続ける。次に、光ビーム出射部２０の出力をオフにした状態で、２次元走査部３０を駆動して、光スポットを第１の２次元走査の走査開始位置（例えば、図３（ａ）における左上の光スポットＳ１の位置）を照明する。以上のような動作を繰り返して液晶パネル１１の画像表示領域１１ｃの背面１１ｂを照明する。ここでは、液晶パネル１１の全面の画像情報を書き換える、１／６０秒を１フレーム期間とし、１フレーム期間の第１の２次元走査と１フレーム期間の第２の２次元走査とを交互に実行する。
【００２２】
〔光スポットの光量分布と画面の輝度ムラとの関係〕
仮に、１個の光スポットにおける光量分布が一様であるとすると、光スポットの副走査方向Ｄｖの大きさに等しい距離を副走査ピッチとして光スポットを走査すれば、副走査方向Ｄｖの輝度ムラは発生しない。しかし、光量分布が一様な光スポットで水平走査を行うと、光スポットの副走査方向Ｄｖの位置が規定の位置から僅かにずれただけで、副走査方向Ｄｖに輝度ムラが顕著に発生する。このため、光ビームＬ１によって形成される光スポット内における光量分布は、中心付近で高く中心から遠くなるほど低くなる分布、例えば、ガウス分布となることが望ましい。実施の形態１においては、光ビームＬ１によって形成される光スポット内における光量分布は、中心付近で高く中心から遠くなるほど低くなる分布、例えば、ガウス分布を持つ。
【００２３】
〔動画残像が軽減される理由〕
また、動画残像を軽減するためには、光スポットＳ１，Ｓ２の直径を、その光スポットが形成される液晶パネル１１の画像表示領域１１ｃに比べて十分に小さくすることが望ましく、例えば、液晶パネル１１の画素サイズ程度にすることが理想的である。しかし、光スポットＳ１，Ｓ２の直径が画素サイズより大きい場合であっても、光スポットＳ１，Ｓ２を主走査することで、各画素は非発光状態から発光状態に遷移し、さらに、発光状態から非発光状態に遷移するので、非ホールド型の表示（すなわち、インパルス型に近い表示）を実現できる。このように、実施の形態１においては、光スポットＳ１，Ｓ２の直径が画素サイズよりも大きい場合であっても、光スポットの主走査方向（Ｄｈ）の走査によって、動画残像は軽減される。
【００２４】
また、一層の動画残像の軽減を実現するためには、光スポットが、液晶パネル１１の画像表示領域１１ｃの安定した状態の画素（状態が遷移中ではない画素）のみを走査することが望ましい。言い換えれば、液晶は、電圧印加時点に状態の遷移を開始し、数ミリ秒かけて安定した状態への遷移を完了するが、光スポットは、遷移完了後の安定した状態の画素のみを走査することが望ましい。光スポットの直径が大きすぎて、状態が安定している画素の走査と同時に、状態が遷移している途中の隣接画素をも走査する場合には、動画残像が増加する。そのため、各画素の電圧印加時点から液晶パネル１１の応答時間をも考慮した所定時間が経過した後に光スポットによって走査されるように、光スポットの直径を選択し、光スポットの走査タイミングを設定することが望ましい。このようなタイミング制御は、映像信号とともに入力される同期信号を用いることによって、実現可能である。
【００２５】
〔駆動エネルギーが低減する理由〕
図２に例示された２次元駆動部３０においては、ガルバノミラーが用いられている。ガルバノミラーの駆動周波数の帯域には制限があり、副走査ピッチを小さくしてガルバノミラーを高速に駆動するには高い駆動エネルギーが必要になる。また、駆動エネルギーが比較的低いポリゴンミラーを２つ用いて２次元走査を行う２次元駆動機構を採用した場合であって、少なくとも一方のポリゴンミラーのミラー面を大きくする必要があるので、駆動エネルギーを十分に下げることはできない。したがって、２次元駆動部３０における駆動エネルギーを低減するには、副走査方向Ｄｖの走査速度を下げることが有効である。一般に、物体の運動エネルギーは、質量と速度の２乗の積の１／２で表現される。例えば、走査速度を半分にした場合には、駆動エネルギーは１／４に低減される。しかし、副走査方向Ｄｖの走査速度を下げる場合には、副走査ピッチを大きくする必要があり、単に、副走査ピッチを大きくしただけでは、液晶パネル１１に、副走査方向Ｄｖの画面輝度ムラが発生するという問題が生じる。そのため、適当な駆動エネルギーで２次元走査部３０を駆動させ、かつ、液晶パネル１１の全面を画面輝度ムラなく照明する方式が必要である。
【００２６】
そこで、実施の形態１においては、２次元走査部３０は、光スポットＳ１の走査である第１の２次元走査と光スポットＳ２（光スポットＳ１を副走査方向Ｄｖにシフトさせた光スポット）の走査である第２の２次元走査とを１フレーム期間毎に交互に実施する。第１の２次元走査は、図３（ａ）に右向き実線の白矢印として示され、第２の２次元走査は、図３（ａ）に右向き破線の白矢印として示される。液晶パネル１１の画像表示領域１１ｃの背面１１ｂを照射する光ビームＬ１によって形成される光スポットＳ１，Ｓ２の光量分布がガウス分布である場合、光量分布の副走査方向Ｄｖの断面も、ガウス分布である。しかし、観察者が実際に見て感じる明るさは、光量には比例せず、光量の多い部分については、より明るく、光量の低い部分については、より暗く感じられる。ここで、以下の考察を簡単にするために、光量分布がガウス分布である光ビームの照射箇所を観察した観察者が感じる明るさ（観察者によって知覚される輝度）は、ガウス分布の２乗であると仮定する。この場合、光スポットＳ１の走査による垂直方向の断面の光量分布は、図３（ｂ）の実線の曲線５１のようになり、光スポットＳ２の走査による垂直方向の断面の光量分布は、図３（ｂ）の破線の曲線５２のようになる。また、光スポットＳ１の走査によって観察者が感じる輝度分布は、図３（ｃ）の実線の曲線５３のようになり、光スポットＳ２の走査によって観察者が感じる輝度分布は、図３（ｃ）の破線の曲線５４のようになる。さらに、光スポットＳ１による画像表示領域１１ｃの全面の走査と、光スポットＳ２による画像表示領域１１ｃの全面の走査と、１フレーム毎に順に行なった場合には、観察者が感じる画像表示領域１１ｃの全面の垂直方向の輝度分布は、図３（ｄ）の曲線５５のように平坦になる。図３（ｃ）に示される実線の曲線５３は、副走査方向Ｄｖに均一ではなく、輝度の高い部分と低い部分とが周期的に存在している。この輝度ムラを定量的に表現するために、明るい部分と暗い部分との差を、暗い部分の輝度で除算した値で輝度ムラを表すと、図３（ｃ）の曲線５３又は５４では、液晶パネル１１の中心付近の領域における画面の輝度ムラは約３４％になる。
【００２７】
実施の形態１においては、２次元走査部３０の駆動エネルギーを低減し、画面輝度ムラを少なくするために、第１の２次元走査と第２の２次元走査を１フレーム毎に交互におこなう（すなわち、２フレーム期間で第１の２次元走査と第２の２次元走査を行なう）。そして、第１の２次元走査における第１の走査位置Ｐ１と第２の次元走査における第２の走査位置Ｐ２とは、副走査方向Ｄｖに副走査ピッチＶｐの半分の距離Ｖｐ／２だけシフトさせている。副走査ピッチの半分の距離をシフトさせるためには、例えば、ガルバノミラーを駆動させるためのモータの駆動信号に、副走査ピッチの半分の距離をシフトさせる信号をオフセット信号として追加すればよい。
【００２８】
第１の２次元走査による画面輝度（図３（ｃ）の曲線５３）と第２の２次元走査による画面輝度（図３（ｃ）の曲線５４）との和が、観察者にとっての画面輝度分布（図３（ｄ）の曲線５５）となる。第１の２次元走査による画面輝度と第２の２次元走査による画面輝度の高い部分もしくは低い部分が互いに補完することで、画面輝度分布５５では輝度のムラが少なくなる。この結果、図３（ｃ）の曲線５３又は５４の画面輝度ムラは約３４％（計算値）であるが、図３（ｄ）の曲線５５の画面輝度ムラは約０．１％と少なくなる。
【００２９】
〔実施の形態１の液晶表示装置による効果〕
以上に説明したように、実施の形態１に係る液晶表示装置は、液晶パネル１１の画像表示領域１１ｃの背面１１ｂのバックライト照明を光ビームＬ１の２次元走査によって行なうので、非ホールド型の表示装置として動作することとなり、動画残像を軽減することができる。
【００３０】
また、実施の形態１に係る液晶表示装置は、第１の２次元走査と第２の２次元走査とを１フレーム期間毎に交互に実施し、第１の２次元走査の位置Ｐ１と第２の２次元走査の位置Ｐ２を副走査方向（垂直方向）Ｄｖに副走査ピッチＶｐの半分Ｖｐ／２の距離だけずらすようにしたので、画面の輝度ムラを少なくすることができる。
【００３１】
また、実施の形態１に係る液晶表示装置は、２フレーム期間で第１の２次元走査と第２の２次元走査を行なうようにしたので、走査速度を遅くすることができ、そのため、２次元走査部３０の動作に必要な駆動エネルギーを低減することができる。
【００３２】
実施の形態２．
図４（ａ）乃至（ｄ）は、本発明の実施の形態２に係る液晶表示装置において、光スポットＳ１又はＳ２を第１の走査位置Ｐ１又は第２の走査位置Ｐ２で走査したときの画面輝度を説明するための図である。図４（ａ）は、光スポットＳ１又はＳ２（実線及び破線の円）及び第１の走査位置Ｐ１又は第２の走査位置Ｐ２（実線及び破線の白矢印）を示し、図４（ｂ）は、光スポットＳ１又はＳ２を第１の走査位置Ｐ１又は第２の走査位置Ｐ２で走査したときの副走査方向Ｄｖの光量分布（実線及び破線の曲線６１，６２）を示し、図４（ｃ）は、そのときの第１の走査位置Ｐ１又は第２の走査位置Ｐ２における画面輝度分布（実線及び破線の曲線６３，６４）を示し、図４（ｄ）は、液晶パネル１１の画像表示領域１１ｃの副走査方向Ｄｖの画面輝度分布（実線の曲線６５）を示す。
【００３３】
実施の形態２に係る液晶表示装置は、図４（ａ）に示されるように、光スポットＳ１又はＳ２の副走査ピッチをＶｐ／２と狭くし（すなわち、第１の走査位置Ｐ１と第２の走査位置Ｐ２の副走査方向Ｄｖの間隔がＶｐ／４）、走査速度を速くした点が、スポットＳ１又はＳ２の副走査ピッチがＶｐと広い（すなわち、第１の走査位置Ｐ１と第２の走査位置Ｐ２の副走査方向Ｄｖの間隔がＶｐ／２）実施の形態１に係る液晶表示装置と相違する。光スポットＳ１，Ｓ２の走査は、実施の形態１の場合と同様の線順次走査であるが、副走査ピッチを半分にすることで、図４（ｂ）に示されるような副走査方向Ｄｖの光量分布（実線及び破線の曲線６１，６２）が得られ、図４（ｃ）に示されるように、画面輝度分布６３，６４は副走査方向Ｄｖのムラが小さくなり、これらの和で表される画面輝度分布６５では、画面輝度ムラがさらに少なくなる。
【００３４】
実施の形態２に係る液晶表示装置においても、実施の形態１の場合と同様の効果を得ることができる。また、副走査ピッチを光スポットＳ１，Ｓ２の直径の半分としているので、画面輝度ムラを一層低減できる。
【図面の簡単な説明】
【００３５】
【図１】本発明の実施の形態１に係る液晶表示装置の構成及び動作を概略的に示す図である。
【図２】実施の形態１に係る液晶表示装置の光学系の構成及び制御系の構成を概略的に示す図である。
【図３】（ａ）乃至（ｄ）は、実施の形態１に係る液晶表示装置において、光スポットを第１の走査位置又は第２の走査位置で主走査したときの画面輝度を説明するための図であり、（ａ）は、光スポットを第１の走査位置又は第２の走査位置で主走査した状態を示し、図３（ｂ）は、光スポットを第１の走査位置又は第２の走査位置で主走査したときの副走査方向の光量分布を示し、図３（ｃ）は、そのときの第１の走査位置における画面輝度分布を示し、図３（ｄ）は、液晶パネルの画像表示領域の副走査方向の画面輝度分布を示す。
【図４】（ａ）乃至（ｄ）は、本発明の実施の形態２に係る液晶表示装置において、光スポットを第１の走査位置又は第２の走査位置で主走査したときの画面輝度を説明するための図であり、（ａ）は、光スポットを第１の走査位置又は第２の走査位置で主走査した状態を示し、図３（ｂ）は、光スポットを第１の走査位置又は第２の走査位置で主走査したときの副走査方向の光量分布を示し、図３（ｃ）は、そのときの第１の走査位置における画面輝度分布を示し、図３（ｄ）は、液晶パネルの画像表示領域の副走査方向の画面輝度分布を示す。
【符号の説明】
【００３６】
１１  液晶パネル、  １１ａ  液晶パネルの表面、  １１ｂ  液晶パネルの背面、  １１ｃ  液晶パネルの画像表示領域、  １２  液晶駆動部、  ２０  光ビーム出射部、  ２１  光源、  ２２  光源駆動部、  ３０  ２次元走査部、  ３１  ガルバノミラー、  ３２  ガルバノミラー駆動部、  ３３  ガルバノミラー駆動制御部、  ３４  回転多面鏡（ポリゴンミラー）、  ３５  モータ、  ３６  ポリゴンミラー駆動制御部、  ４０  制御部、  Ｄｈ  主走査方向（垂直方向）、  Ｄｖ  副走査方向（水平方向）、  Ｖｐ  副走査ピッチ（垂直方向ピッチ）、  Ｐ１  第１の走査位置（第１の走査軌跡）、  Ｐ２  第２の主走査位置（第２の走査軌跡）。
【図１】
0005188249.tif 000002
【図２】
0005188249.tif 000003
【図３】
0005188249.tif 000004
【図４】
0005188249.tif 000005